(57)【要約】【課題】閉鎖部材の外周側に粘着剤を塗布し、閉鎖部材を本体の収容槽の流路に粘着し流路口を閉鎖することにより、流体を流路に流動させ、循環させてマッサージをすることができるマッサージ器の流体導管装置を提供する。【解決手段】本発明のマッサージ器の流体導管装置は、本体と、該本体に対応する形状を有する閉鎖部材と、を含み、該本体が収容槽を有し、該収容槽の内底面には流路が設けられ、該閉鎖部材の外周側に粘着剤を塗布することで該閉鎖部材を該流路に粘着して流路口を閉鎖し、該流路の内にある流体の外漏れを避ける。【選択図】図１
2018094218.tif 000002
【特許請求の範囲】
【請求項１】
マッサージ器の流体導管装置であって、
本体と、該本体に対応する形状を有する閉鎖部材と、を含み、該本体が収容槽を有し、該収容槽の内底面には流路が設けられ、該閉鎖部材の外周側に粘着剤を塗布することで該閉鎖部材を該流路に粘着して流路口を閉鎖し、該流路の内にある流体の外漏れを避けることを特徴とするマッサージ器の流体導管装置。
【請求項２】
該流路の両側に段階状周縁が設けられ、該閉鎖部材の両側に凸部が設けられ、該閉鎖部材の両側に設けられる凸部が該流路の両側に設けられる段階状周縁に対応的に粘着され、該閉鎖部材の頂端が該流路の両側の壁面よりやや低いことを特徴とする請求項１に記載のマッサージ器の流体導管装置。
【請求項３】
さらに複数の振動モータが設けられ、該複数の振動モータが該閉鎖部材の表面に設置され、且つ本体の収容槽のうちに位置され、さらに該閉鎖部材には給水口と排水口とが設けられ、流路の内にある流体の循環流通を行わせ、なお該本体と該閉鎖部材がシリコーン又は軟質ＰＶＣ接着剤からなることを特徴とする請求項１又は２に記載のマッサージ器の流体導管装置。
【発明の詳細な説明】
【技術分野】
【０００１】
本発明は、マッサージ器の技術分野に関し、特に、マッサージ器の流体導管装置に関する。
【０００２】
文明と時代の進展に伴い、人々の生活水準は徐々に改善され、物質に対する要求にも高くなったが、現代人が自分の仕事的要素、家族的要素、感情的要素、人と人の付き合いの人間関係、又は生活的ないろいろな要因などで、人々が一日中ずっと神経質な緊張とストレス過多の状況になり、しかしながら、人々が長い間にわたって積み重ねた疲労と精神的ストレスの積みで、体と心に積み重ねられた疲労とストレスを適切に釈放する及び緩和することができず、体と心に積み重ねれば、不眠症、精神的と肉体的疲労、燃え尽き症候群、全身の痛み、及び記憶喪失などの現象が発生可能であり、さらに肉体的と精神的な健康が影響されるため、どのように暇な時に自分が平日に体と心に積み重ねた疲労とストレスを釈放する及び緩和することをさせ、充分な精神的と肉体的な休憩を得ることは、現在人が重視し考える課題である。
【０００３】
しかしながら、現在人は暇があるたびに、大部分の人が家に休憩をとるので、普通の人が家に帰ったら出かけたくないため、生活の積み重ねた疲労とストレスを和らげるために、たくさんの関連業者が人体の各部位に対するマッサージを行うマッサージ器を開発し、人々が体と心に積み重ねられた疲労とストレスを釈放する及び緩和することを達したが、市場においても多くのマッサージ製品が販売され、例えば、冷罨機能と温罨機能を有するマッサージ器具が挙げられ、そのマッサージ器具の内にある流路を介して冷水と温水との循環交換を行うことにより、あてられる部位に対して疲労解消と血液循環の促進の効果を達したが、本発明者は、従来のものと異なり、革新的なマッサージ器の流体導管装置に至った。
【先行技術文献】
【特許文献】
【０００４】
【特許文献１】特開2014-252086号公報
【発明の概要】
【発明が解決しようとする課題】
【０００５】
本発明の目的は、閉鎖部材の外周側に粘着剤を塗布し、閉鎖部材を本体の収容槽の流路に粘着し流路口を閉鎖することにより、流体を流路に流動させ、循環させてマッサージをすることができる流体導管装置を提供することにある。
【課題を解決するための手段】
【０００６】
上述の課題を解決するために、本発明は、マッサージ器の流体導管装置を提供するものである。本発明のマッサージ器の流体導管装置は、本体と、該本体に対応する形状を有する閉鎖部材と、を含み、該本体が収容槽を有し、該収容槽の内底面には流路が設けられ、該閉鎖部材の外周側に粘着剤を塗布することで該閉鎖部材を該流路に粘着して流路口を閉鎖し、該流路の内にある流体の外漏れを避ける。
【０００７】
本発明のマッサージ器の流体導管装置において、該流路の両側に段階状周縁が設けられ、該閉鎖部材の両側に凸部が設けられ、該閉鎖部材の両側に設けられる凸部が該流路の両側に設けられる段階状周縁に対応的に粘着され、該閉鎖部材の頂端が該流路の両側の壁面よりやや低い。
【０００８】
本発明のマッサージ器の流体導管装置において、さらに複数の振動モータが設けられ、該複数の振動モータが該閉鎖部材の表面に設置され、且つ本体の収容槽のうちに位置され、さらに該閉鎖部材には給水口と排水口とが設けられ、流路の内にある流体の循環流通を行
【図面の簡単な説明】
【０００９】
【図１】本発明の実施例を示す分解斜面図である。
【図２】本発明の実施例を示す組立斜面図である。
【図３】本発明の実施例の別の視点から見た組立斜面図である。
【図４】図２におけるIV−IV線を示す断面図である。
【図５】本発明の実施例に係る閉鎖部材が流路に粘着される状態を示す拡大断面図である。
【図６】本発明の実施例に係る流体が流路の内に循環流動をされる状態を示す図である。
【図７】本発明の実施例に係る振動モータが閉鎖部材の表面に設置され、且つ本体の収容槽のうちに位置される状態を示す図である。
【図８】本発明の実施例が顔部のマッサージに適用された使用状態を示す図である。
【図９】本発明の実施例が背中のマッサージに適用された使用状態を示す図である。
【図１０】本発明の実施例が脚部のマッサージに適用された使用状態を示す図である。
【発明を実施するための形態】
【００１０】
（実施形態）
本発明の上記の目的及び効果を具体的に理解されるように、以下、本発明の好ましい実施例と添付図面を組み合わせてその特徴及び効果説明する。図１〜図６を参照する。図１〜図６は、本発明のマッサージ器の流体導管装置を示す。本発明の実施形態によるマッサージ器の流体導管装置１００は、本体１と、該本体１に対応する形状を有する閉鎖部材２と、を含み、該本体１が収容槽１１を有し、該収容槽１１の内底面には流路１１１が設けられ、該閉鎖部材２の外周側に粘着剤３を塗布することで該閉鎖部材２を該流路１１１に粘着して流路口を閉鎖し、該流路１１１の内にある流体の外漏れを避ける。
【００１１】
以上の説明は、本発明の実施例の主な技術特徴を示し、本願の請求項１の内容に対応したものであり、他の従属請求項に記載される技術特徴が請求項１の内容をさらに詳しく説明するもの又は付加技術特徴であり、請求項１の実施範囲を限定するものではなく、本発明の請求項１が必ずしも他の従属請求項に記載される技術特徴を含むものではない。
【００１２】
以下、本発明の各部材の特徴をさらに説明する。図１〜図６に示すように、該流路１１１の両側に段階状周縁１１１１が設けられ、該閉鎖部材２の両側に凸部２１が設けられ、該閉鎖部材２の両側に設けられる凸部２１が該流路１１１の両側に設けられる段階状周縁１１１１に対応的に粘着され、該閉鎖部材２の頂端が該流路１１１の両側の壁面よりやや低い。さらに、該閉鎖部材２には給水口２２と排水口２３とが設けられ、該給水口２２と該排水口２３とが水道管により外部に１つの循環装置（図に示せず）に接続され、流路の内にある流体の循環流通を行わせる。最後に、図７に示すように、さらに複数の振動モータ１２が設けられ、該複数の振動モータ１２が該閉鎖部材２の表面に設置され、且つ本体１の収容槽１１のうちに位置される。これにより、使用者が痛みを感じてストレスを緩和しようとする部位に対し、振動マッサージを行い、マッサージの効果を果たして人体内の代謝を促進し、使用者が振動マッサージを通じて脂肪の燃焼を達し、体が発熱と汗かきをする効果を達することができる。
【００１３】
なお、本発明の該本体１と該閉鎖部材２が弾性を有する軟質接着剤からなり、該弾性を有する軟質接着剤がシリコーン又は軟質ＰＶＣ接着剤である。
【００１４】
特に、図６を参照して図１を補助とし、本発明は、本体１の収容槽１１の内にある流路１１１が何度取り囲ませる設置により、流体が流路１１１の内に何度循環流動させることで、使用者のマッサージをする必要な部位に細部にまでのマッサージができる（図８〜図１０に示すように）。
【００１５】
以上の説明は、本発明の好適な実施形態を示したものであり、本発明を限定するものではない。従って、本発明の主旨を逸脱しない範囲における修飾または変更は、全て、本発明の保護範囲に含まれる。
【符号の説明】
【００１６】
１００  流体導管装置
１０  本体
１１  収容槽
１１１  流路
１１１１  段階状周縁
１２  振動モータ
２  閉鎖部材
２１  凸部
２２  給水口
２３  排水口
３  粘着剤
【図１】
2018094218.tif 000003
【図２】
2018094218.tif 000004
【図３】
2018094218.tif 000005
【図４】
2018094218.tif 000006
【図５】
2018094218.tif 000007
【図６】
2018094218.tif 000008
【図７】
2018094218.tif 000009
【図８】
2018094218.tif 000010
【図９】
2018094218.tif 000011
【図１０】
2018094218.tif 000012